(57)【要約】      （修正有）【課題】通常動作用の動作モード及びメンテナンス用の動作モードに加えて、設置作業用の動作モードを提供することで、配送担当者が円滑に設置作業を行えるようにすることを目的とする。【解決手段】情報処理装置は、メンテナンスを行うためのメンテナンスモードと、装置の設置作業を行うための設置用モードと、装置の通常動作を行うための通常モードの少なくともいずれかで動作を行うことができる。ユーザは、メンテナンスモードに遷移した情報処理装置を操作して、ＮＶＲＡＭに保存されたメンテナンス用の設定値を変更及び表示することができる。また、ユーザは、設置用モードに遷移した情報処理装置を操作して、ＮＶＲＡＭに保存されたメンテナンス用の設定値のうち、設置作業に係る一部の設定値を変更及び表示することができる。【選択図】図４
2017188821.tif 000002
【特許請求の範囲】
【請求項１】
ユーザ操作を受け付ける受付手段を備える情報処理装置であって、
前記情報処理装置のメンテナンスに関する設定値であって、少なくとも設置作業に関する第１の設定値と、設置作業に関しない第２の設定値を記憶する記憶手段と、
メンテナンスを行うための第１の動作モードと、装置の設置作業を行うための第２の動作モードと、装置の通常動作を行うための第３の動作モードを少なくとも備え、いずれかの動作モードで前記情報処理装置を動作させることが可能な制御手段と、を備え、
前記第１の動作モードは、前記第１の設定値及び前記第２の設定値が変更及び表示できるように構成され、前記第２の動作モードは、前記第１の設定値を変更及び表示でき、前記第２の設定値を変更及び表示できないように構成され、前記第３の動作モードは前記第１の設定値及び前記第２の設定値が変更及び表示できないように構成されることを特徴とする情報処理装置。
【請求項２】
前記制御手段は、前記第２の動作モードで動作している場合に、設置作業を完了するユーザ操作を受け付けたことに応じて前記第２の動作モードを無効に設定することを特徴とする請求項１に記載の情報処理装置。
【請求項３】
前記制御手段は、前記第２の動作モードで動作を開始してから所定時間が経過したことに応じて、前記第２の動作モードを無効に設定することを特徴とする請求項１に記載の情報処理装置。
【請求項４】
前記制御手段は、前記第２の動作モードに移行するための所定のユーザ操作を受け付けた場合に、前記情報処理装置を前記第２の動作モードで動作させることを特徴とする請求項１乃至３のいずれか１項に記載の情報処理装置。
【請求項５】
前記制御手段は、前記第２の動作モードに移行するための所定のユーザ操作を受け付けた場合であっても、前記第２の動作モードが無効に設定されている場合は、前記所定のユーザ操作に基づく前記第２の動作モードへの移行を禁止することを特徴とする請求項４に記載の情報処理装置。
【請求項６】
前記制御手段は、前記第１の動作モードに移行するための所定のユーザ操作を受け付けた場合に、前記情報処理装置を前記第１の動作モードで動作させることを特徴とする請求項１乃至５のいずれか１項に記載の情報処理装置。
【請求項７】
ユーザ操作を受け付ける受付手段と、少なくとも設置作業に関する第１の設定値と、設置作業に関しない第２の設定値を記憶する記憶手段と、を備える情報処理装置の制御方法であって、
メンテナンスを行うための第１の動作モードと、装置の設置作業を行うための第２の動作モードと、装置の通常動作を行うための第３の動作モードを少なくとも備え、いずれかの動作モードで前記情報処理装置を動作させることが可能な制御工程と、を有し、
前記第１の動作モードは、前記第１の設定値及び前記第２の設定値が変更及び表示できるように構成され、前記第２の動作モードは、前記第１の設定値を変更及び表示でき、前記第２の設定値を変更及び表示できないように構成され、前記第３の動作モードは前記第１の設定値及び前記第２の設定値が変更及び表示できないように構成されることを特徴とする情報処理装置の制御方法。
【請求項８】
請求項７に記載の情報処理装置の制御方法をコンピュータに実行させるためのプログラム。
【発明の詳細な説明】
【技術分野】
【０００１】
本発明は、メンテナンス用のモードを有する情報処理装置に関するものである。
【背景技術】
【０００２】
従来、通常動作用のモードに加えて、メンテナンス用の動作モードを有する装置が知られている（例えば特許文献１）。これらの装置では、一般ユーザが使用するための通常動作用の動作モードと、カスタマーエンジニアによるメンテナンス作業を受け付けるためのメンテナンス用の動作モードとの切り替えが可能である。
【０００３】
特許文献１には、カスタマーエンジニアが、装置に対して特定のキー操作を行うことで動作モードをメンテナンス用の動作モードに移行させることが開示されている。メンテナンス用の動作モードでは、操作部に通常の操作用のメニューとは異なる、メンテナンス用のメニューが表示される。カスタマーエンジニアは、メンテナンス用のメニューからメンテナンス用の機能を実行したり、装置の状態を参照したりすることで、装置のメンテナンスを行う。
【先行技術文献】
【特許文献】
【０００４】
【特許文献１】特開２０１５−２３１４４９号公報
【発明の概要】
【発明が解決しようとする課題】
【０００５】
一般的に、画像処理装置などの情報処理装置をユーザ先に納入する際にカスタマーエンジニアが同行して装置の設置作業を行うことが知られている。
【０００６】
カスタマーエンジニアによる設置作業では、情報処理装置の操作パネルに対して特定のキー操作を行うことにより、情報処理装置をメンテナンス用の動作モードに移行させ、設置後のテストや装置の調整などの設置時の処理を実施する。
【０００７】
ところで、設置作業に関わるカスタマーエンジニアのコストを削減するために、情報処理装置の配送担当者に設置作業を行わせることが考えられる。
【０００８】
しかしながら、上述したメンテナンス用の動作モードは、設置時に必要となる機能や調整以外にも、課金に関する機能や各種動作設定の変更など、カスタマーエンジニアが装置を調整するために必要な様々な機能を持っている。
【０００９】
このような、メンテナンス用のモードでは、様々な設定、調整、及び、テストが可能である一方、メンテナンスに関するトレーニングを受けていない配送担当者が操作するのは難しい。また、メンテナンス用の動作モードでは、課金に関する機能やＭＦＰの特殊な動作設定などについても変更することができる。配送担当者が、これら設置以外の操作ができるメンテナンス用の動作モードを操作できるようにすることはセキュリティ的に好ましくない。
【００１０】
本発明は、上記の課題に鑑みなされたものであり、設置作業用のモードを提供することで、配送担当者が円滑に設置作業を行えるようにすることを目的とする。
【課題を解決するための手段】
【００１１】
上記の目的を達成するために本発明の情報処理装置は、ユーザ操作を受け付ける受付手段を備える情報処理装置であって、前記情報処理装置のメンテナンスに関する設定値であって、少なくとも設置作業に関する第１の設定値と、設置作業に関しない第２の設定値を記憶する記憶手段と、メンテナンスを行うための第１の動作モードと、装置の設置作業を行うための第２の動作モードと、装置の通常動作を行うための第３の動作モードを少なくとも備え、いずれかの動作モードで前記情報処理装置を動作させることが可能な制御手段と、を備え、前記第１の動作モードは、前記第１の設定値及び前記第２の設定値が変更及び表示できるように構成され、前記第２の動作モードは、前記第１の設定値を変更及び表示でき、前記第２の設定値を変更及び表示できないように構成され、前記第３の動作モードは前記第１の設定値及び前記第２の設定値が変更及び表示できないように構成されることを特徴とする。
【発明の効果】
【００１２】
本発明によれば、通常動作用の動作モード及びメンテナンス用の動作モードに加えて、設置作業用の動作モードを提供することで、配送担当者が円滑に設置作業を行えるようになる。
【図面の簡単な説明】
【００１３】
【図１】情報処理装置の構成を示すブロック図である。
【図２】操作部１１６に表示される操作画面を示す図である。
【図３】各動作モードで提供される項目を説明するための図である。
【図４】情報処理装置の制御方法を説明するフローチャートである。
【発明を実施するための形態】
【００１４】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１５】
＜第１の実施形態＞
図１は、本実施形態に係る情報処理装置の構成を示すブロック図である。本実施形態では情報処理装置の一例としてＭＦＰ（Ｍｕｌｔｉ  Ｆｕｎｃｔｉｏｎ  Ｐｅｒｉｐｈｅｒａｌ）１０１を説明する。
【００１６】
ＭＦＰ１０１はシート上の画像を読み取る読取機能、シートに画像を印刷する印刷機能を有する。なお、本実施形態では情報処理装置の一例としてＭＦＰ１０１を説明するが、これに限定されるものではない。例えば、読取機能を有さないＳＦＰ（Ｓｉｎｇｌｅ  Ｆｕｎｃｔｉｏｎ  Ｐｅｒｉｐｈｅｒａｌ）や、印刷機能を有さないＳＦＰなどの情報処理装置であってもよい。また、デジタルサイネージ用の情報処理装置など、設置作業が必要となる情報処理装置に適用することができる。
【００１７】
本実施例では、一例として情報処理装置が以下に説明する各種構成要件を備えるものとする。ＣＰＵ（Ｃｅｎｔｒａｌ  Ｐｒｏｃｅｓｓｉｎｇ  Ｕｎｉｔ）１１１を含む制御部１１０は、ＭＦＰ１０１全体の動作を制御する。ＣＰＵ１１１は、ＲＯＭ（Ｒｅａｄ  Ｏｎｌｙ  Ｍｅｍｏｒｙ）１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。ＲＡＭ（Ｒａｎｄｏｍ  Ａｃｃｅｓｓ  Ｍｅｍｏｒｙ）１１３は、ＣＰＵ１１１の主記憶メモリであり、ワークエリア又は各種制御プログラムを展開するための一時記憶領域として用いられる。ストレージ１１４は、画像データ、印刷データ、各種プログラムを記憶する。本実施形態ではストレージ１１４としてＨＤＤ（Ｈａｒｄ  Ｄｉｓｋ  Ｄｒｉｖｅ）等の補助記憶装置を想定しているが、ＨＤＤの代わりにＳＳＤ（Ｓｏｌｉｄ  Ｓｔａｔｅ  Ｄｒｉｖｅ）などのフラッシュメモリを用いるようにしてもよい。ＮＶＲＡＭ（Ｎｏｎ  Ｖｏｌａｔｉｌｅ  ＲＡＭ）１２１は各種設定値を記憶する不揮発性のメモリである。
【００１８】
なお、本実施形態のＭＦＰ１０１では、１つのＣＰＵ１１１がＲＡＭ１１３及びＮＶＲＡＭ１２１を用いて後述するフローチャートに示す各処理を実行するものとするが、他の様態であっても構わない。例えば複数のＣＰＵ、ＲＡＭ、ＮＶＲＡＭ、ＲＯＭ、及びストレージを協働させて後述するフローチャートに示す各処理を実行することもできる。
【００１９】
操作部インタフェース（Ｉ／Ｆ）１１５は、操作部１１６と制御部１１０を接続する。操作部１１６には、タッチパネル機能を有する液晶表示部や各種ハードキーなどが備えられ、情報を表示する表示部やユーザの指示を受け付ける受付部として機能する。
【００２０】
読取部Ｉ／Ｆ１１７は、読取部１１８と制御部１１０を接続する。読取部１１８は原稿を読み取って画像を生成する。なお、生成された画像はストレージ１１４に格納されるものとする。読取部１１８によって生成された画像は外部装置に送信されたり、シート上に印刷されたりする。
【００２１】
印刷部Ｉ／Ｆ１１９は、印刷部１２０と制御部１１０を接続する。印刷に使用する画像は印刷部Ｉ／Ｆ１１９を介して制御部１１０から印刷部１２０に転送される。印刷部１２０は、制御部１１０を介して制御コマンド及び印刷に使用する画像を受信し、シートに画像を印刷する。
【００２２】
また、制御部１１０は、通信部Ｉ／Ｆ１２２を介してネットワーク１００に接続される。ＣＰＵ１１１は、通信部Ｉ／Ｆ１２２を介してネットワーク１００上の外部装置に画像や情報を送信したり、ネットワーク１００上の情報処理装置から印刷データや情報を受信したりする。
【００２３】
次に、ＭＦＰ１０１の設置作業について説明する。ＭＦＰ１０１は、ユーザから指定された場所に配送担当者により配送され、設置作業が行われる。設置作業では、まず、ＭＦＰ１０１に電源ケーブルやネットワークケーブルを接続し使用できる状態にする。また、この際に、ＭＦＰ１０１には印刷に使用するドラムユニット（不図示）や印刷に使用するシートもセットされ、印刷が可能な状態にされる。
【００２４】
電源ケーブルやネットワークケーブルの接続及びドラムユニットやシートのセットが完了すると、設置が正しく行われているかの確認作業や設置後の調整作業を行うことになる。
【００２５】
ところで、従来、ＭＦＰなどの情報処理装置をユーザ先に納入する際にカスタマーエンジニアが同行して装置の設置作業を行うことが知られている。
【００２６】
従来、カスタマーエンジニアによる確認作業や設置後の調整作業は、情報処理装置の操作パネルに対して特定のキー操作を行って情報処理装置をメンテナンス用の動作モード（以降、メンテナンスモードと呼ぶ）に移行して行われる。カスタマーエンジニアはメンテナンスモードを使用して設置後のテストや、テスト結果に基づく各種パラメータの調整など、設置時に必要となる調整を実施することができる。
【００２７】
ここで、設置作業に関わるカスタマーエンジニアのコストを削減するために、情報処理装置の配送担当者に設置作業を行わせることが考えられる。
【００２８】
しかしながら、上述したメンテナンスモードは、設置時に必要となる機能や調整以外にも、課金に関する機能や各種動作設定の変更など、カスタマーエンジニアが装置を調整するために必要な様々な機能を持っている。
【００２９】
このような、メンテナンスモードでは、様々な設定、調整、及び、テストが可能である一方、メンテナンスに関するトレーニングを受けたカスタマーエンジニア以外が操作するのは難しいという課題がある。また、メンテナンスモードは、課金に関する機能やＭＦＰの特殊な動作設定などを変更できるため、このような項目についてはカスタマーエンジニア以外が変更できないようにすることが好ましい。
【００３０】
これを鑑みて、本実施形態では、通常動作用のモード（以下、通常モードと呼ぶ）、及びメンテナンスモードに加えて、ＭＦＰ１０１の配送担当者が設置作業を行うためのモード（以下、設置用モードと呼ぶ）を設けることについて説明する。
【００３１】
まず、通常モードについて説明する。通常モードは、ＭＦＰ１０１が備える各機能をユーザが使用する際の動作モードである。通常モードでは、外部装置から印刷データを受信して印刷する印刷機能や、原稿を読取部１１８で読み取ってコピーするコピー機能などが提供される。また、原稿を読取部１１８で読み取って得られた画像データを外部装置に送信する送信機能や、ＭＦＰ１０１のストレージに記憶する保存機能などが提供される。
【００３２】
ＭＦＰ１０１を使用するユーザは操作部１１６に表示される不図示のメインメニューを介して各機能のアイコンを選択することで、各機能を起動して利用することができる。また、ユーザは、外部装置からＭＦＰ１０１に対して印刷データを送信することで、ＭＦＰ１０１が備える印刷機能を利用することができる。
【００３３】
次に設置用モードについて説明する。図２は、操作部１１６に表示される設置用モードの画面の一例である。本実施形態では、設置時に必要な確認作業の一例として、印刷に使用するドラムユニットのステータスの確認、本体の傾きの確認、印刷位置の確認を例示する。
【００３４】
図２（ａ）〜（ｃ）はＭＦＰ１０１が設置用モードに移行した場合に表示される画面の一例である。配送担当者は、図２（ａ）〜（ｃ）の画面を介して設置時の確認作業や調整作業を行うことができる。
【００３５】
ＭＦＰ１０１は設置用モードで起動すると、図２（ａ）に示す画面を操作部１１６に表示する。配送担当者は、図２（ａ）の画面を介してドラムユニットが正しくセットできているかを確認することができる。キー２０１はドラムユニットをセットする手順を表示する際に使用するキーである。キー２０１が押下されると、セットの詳細手順を示す動画や、注意点などが操作部１１６に表示される。ドラムユニットのセット方法が分からない配送担当者は、キー２０１を押下することで手順を知ることができる。
【００３６】
また、キー２０２は、次の手順へ進む場合に使用するキーである。次へキー２０２が選択された場合、ＣＰＵ１１１は、図２（ｂ）に示す画面を操作部１１６に表示する。
【００３７】
配送担当者は、図２（ｂ）の画面を介してＭＦＰの水平状態を確認することができる。図２（ｂ）の画面では、水平状態を検出する機能が提供される。キー２１１は、水平状態の調整が必要な場合に、調整の手順を表示する際に使用するキーである。キー２１１が選択されると、アジャスターによる調整の詳細手順を示す動画や、注意点などが操作部１１６に表示される。調整の手順が分からない配送担当者は、キー２１１を押下して手順を知ることができる。次へキー２１２は、次の手順に進む場合に使用するキーである。次へキー２０２が選択された場合、ＣＰＵ１１１は、図２（ｃ）に示す画面を操作部１１６に表示する。
【００３８】
配送担当者は、図２（ｃ）の画面を介してＭＦＰの印刷位置の確認と調整を行うことができる。図２（ｃ）の画面では、シートにテストパターンを印刷するテストプリントの機能が提供される。配送担当者は、テストプリント機能を選択し、シートにテストパターンをプリントする。また、テストプリントの余白部分を定規などで計測し、正しい値になるように先端余白や左端余白を調整する。キー２２１は、位置調整の手順を表示する際に使用するキーである。キー２２１が選択されると、テストパターンをどのように計測すればよいかや、位置を調整する際の注意事項などが操作部１１６に表示される。位置調整の手順が分からない配送担当者は、キー２２１を押下して計測の方法や、調整の注意点を知ることができる。また、完了キー２２２は、設置用モードを完了させる際に使用するキーである。完了キー２２２が選択されると、設置用モードは無効となる。
【００３９】
このように、設置用モードを設けることで、配送担当者が、メンテナンスモードに入ることなく設置作業を行うことが可能となる。また、設置用モードでは、当該製品のメンテナンスに関する知識が少ない配送担当者であってもＭＦＰの設置作業が行えるよう考慮したユーザインタフェースを提供する。設置用モードでは、メンテナンスモードで提供するユーザインタフェースと比較して、設置作業の手順に関する情報をより詳細に表示することができる。従って、メンテナンスに関するトレーニングを受けていない配送担当者であっても円滑に設置作業を行えるようになる。
【００４０】
次に、メンテナンスモード、設置用モード、通常モードの各モードで利用できる機能や、変更できる設定値の違いを図３を用いて説明する。
【００４１】
メンテナンスモードでは、ＭＦＰ１０１のメンテナンスに必要な項目が全て提供される。サービスエンジニアは、ＭＦＰ１０１をメンテナンスモードに移行させ、各種のメンテナンスを行うことができる。
【００４２】
設置用モードでは、図２（ａ）〜（ｃ）で説明したようにドラムユニットに関する測定結果や、水平位置の測定結果を表示することができる（３０１、３０２）。また、テストプリント（３０３）や、画像位置の調整に関する設定変更（３０４、３０５）を行うことができる。従って、配送担当者は、ＭＦＰ１０１を設置用モードに移行させ、設置作業を行うことができる。更に、配送担当者は、完了キー２２２を選択することにより、設置用モードを無効化することができる（３０９）。
【００４３】
一方、課金に関する設定変更（３０６）や、ＭＦＰ１０１のログデータの表示（３０７）など、メンテナンスを行うサービスエンジニアにのみ提供したい一部の項目については、設置用モードでは提供されない。このように設置用モードは、設置作業に関連する機能だけが利用できるように構成される。また、設置作業に関連する設定値のみが変更及び表示できるように構成される。従って、配送担当者により、設置作業に関係のない項目の閲覧や、変更が行われることを避けることができ、ＭＦＰ１０１のセキュリティレベルを高く保つことができる。
【００４４】
また、通常モードでは、コピーや印刷などの機能が提供されるが、図３に示す項目は提供されない。これは、一般の利用者（ユーザ）が不用意に印刷品質に関する調整や、課金に関する設定を行ってしまうことを防止するためである。
【００４５】
次に、具体的な制御の方法について図４のフローチャートを用いて説明する。図４は、ＭＦＰ１０１の電源ボタン（不図示）が押下されたことに応じて開始されるＭＦＰ１０１の動作を説明するフローチャートである。
【００４６】
図４のフローチャートに示す各動作（ステップ）は、ＭＦＰ１０１のＣＰＵ１１１がＲＯＭ１１２又はストレージ１１４に記憶された制御プログラムを実行することにより実現される。
【００４７】
Ｓ４０１では、ＣＰＵ１１１は、操作部１１６の表示部（不図示）に起動画面を表示する。Ｓ４０２では、ＣＰＵ１１１は、操作部１１６の操作を監視し、設置用モードへ移行する指示がなされたか否かを判断する。設置用モードへ移行する指示がなされた場合は、Ｓ４０３に進み、設置用モードへ移行する指示がなされていない場合は、Ｓ４０４に進む。なお、設置用モードは、設置完了後に無効化されるため、移行の指示は操作部１１６のタッチパネル（不図示）を長押しするなど、簡単な操作であってもよい。
【００４８】
Ｓ４０３では、設置用モードが有効に設定されているか否かを判断する。ＣＰＵ１１１は、ＮＶＲＡＭ１２１の設定値を参照し、設置用モードが有効に設定されている場合は、Ｓ４０６以降の設置用モードの処理に進む。設置用モードが無効に設定されている場合は、Ｓ４０２に戻る。Ｓ４０３の処理により、設置用モードへ移行する指示がなされた場合であっても、設置用モードが無効に設定されている際は、設置用モードへの移行を禁止することができる。
【００４９】
一方、Ｓ４０４では、ＣＰＵ１１１は、操作部１１６の操作を監視し、メンテナンスモードへ移行する指示がなされたか否かを判断する。メンテナンスモードへ移行する指示がなされた場合は、Ｓ４１１以降のメンテナンスモードの処理に進む。一方、メンテナンスモードへ移行する指示がなされていない場合は、Ｓ４０５に進む。メンテナンスモードへの移行指示は、複数のキー操作の組み合わせや所定のパスコードの入力などが用いられる。
【００５０】
なお、メンテナンスモードへの移行指示は、これに限定されるものではない。メンテナンスモードに移行するための治具（例えば、ＵＳＢドングルなど）がＭＦＰ１０１に接続されている場合にメンテナンスモードに移行する指示がなされていると判断するようにしてもよい。
【００５１】
次にＳ４０５では、Ｓ４０１で起動画面を表示してから所定時間が経過したか否かを判断する。起動画面を表示してから所定時間が経過している場合は、Ｓ４１４以降の通常モードの処理に進み、所定時間が経過していない場合は、Ｓ４０２の処理に戻る。
【００５２】
従って、設置用モード又はメンテナンスモードへの移行指示がなされない場合は、通常モードに移行することになる。
【００５３】
次に各モードの処理について説明する。Ｓ４０６では、ＣＰＵ１１１は、設置用モード用の制御プログラムを立ち上げ、設置用モードへ遷移する。Ｓ４０７では、図２（ａ）〜（ｃ）で説明した各種設定処理をユーザから受け付ける。
【００５４】
Ｓ４０８では、設置完了指示がなされたか否かを判断する。操作部１１６を介して設置を完了する指示を受け付けた場合は、Ｓ４１０に進み、設置を完了する指示を受け付けていない場合は、Ｓ４０９に進む。
【００５５】
Ｓ４０９では、ＣＰＵ１１１は、電源ＯＦＦの指示を受け付けたか否かを判断する。ＣＰＵ１１１は、ＭＦＰ１０１の電源をＯＦＦにする指示を受け付けた場合は、Ｓ４１７に進み、電源をＯＦＦにする指示を受け付けていない場合はＳ４０７に戻り、ユーザからの更なる設定処理を受け付ける。
【００５６】
Ｓ４１７では、ＣＰＵ１１１は、ＭＦＰ１０１のシャットダウン処理を行い、処理を終了する。
【００５７】
一方、Ｓ４１１では、ＣＰＵ１１１は、メンテナンスモード用の制御プログラムを立ち上げ、メンテナンスモードへ遷移する。Ｓ４１２では、ＣＰＵ１１１は、ユーザ操作に応じて、メンテナンスモードで提供される各種処理を実行する。なお、Ｓ４１２の処理では、設置用モード有効又は無効を切り替えることもできる。
【００５８】
Ｓ４１３では、電源ＯＦＦの指示を受け付けたか否かを判断する。ＭＦＰ１０１の電源をＯＦＦにする指示を受け付けた場合は、Ｓ４１７に進み、電源をＯＦＦにする指示を受け付けていない場合はＳ４０７に戻り、メンテナンスモードでの更なる操作を受け付ける。
【００５９】
また、Ｓ４１４では、ＣＰＵ１１１は、通常モード用の制御プログラムを立ち上げ、通常モードへ遷移する。Ｓ４１５では、ＣＰＵ１１１は、ユーザ操作に応じて、通常モードで利用可能なコピーや画像データの送信などの処理を実行する。
【００６０】
Ｓ４１６では、ＣＰＵ１１１は、電源ＯＦＦの指示を受け付けたか否かを判断する。ＭＦＰ１０１の電源をＯＦＦにする指示を受け付けた場合は、Ｓ４１７に進み、電源をＯＦＦにする指示を受け付けていない場合はＳ４１５に戻り、通常モードでの更なるユーザ操作を受け付ける。
【００６１】
なお、本実施形態では、Ｓ４０８で設置完了指示を受け付けたことに応じて設置用モードを無効化することについて説明したが、これに限定されるものではない。例えば、設置用モードで起動した時刻をＮＶＲＡＭ１２１に記憶し、設置用モードの初回起動時から所定時間（例えば１日など）が経過したことに応じて設置用モードを無効化するようにしてもよい。
【００６２】
以上説明したように、本実施形態の情報処理装置は、設置用モードを備えているため、当該製品のメンテナンスに関する知識が少ない配送担当者であっても円滑に設置作業を行うことができる。また、設置用モードでは、配送担当者が変更又は閲覧することが好ましくない項目を提供することなく、設置に必要な項目を提供することができる。従って、配送担当者により、設置作業に関係のない項目の変更や閲覧が行われることを避けることができ、ＭＦＰ１０１のセキュリティレベルを高く保つことができる。
【００６３】
また、本実施時形態ではカスタマーエンジニアが情報処理装置をメンテナンスモードに移行させて、従来のメンテナンスモードを使用した設置作業を行うこともできる。
【００６４】
更に、設置用モードで設置完了の指示を受け付けたことに応じて、設置用モードへの移行を無効化することができる。従って、一般の利用者（ユーザ）が誤操作により設置用モードに移行してしまうことを抑制することができる。
【００６５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
１０１  ＭＦＰ
１１１  ＣＰＵ
１１２  ＮＶＲＡＭ
１１６  操作部
【図１】
2017188821.tif 000003
【図２】
2017188821.tif 000004
【図３】
2017188821.tif 000005
【図４】
2017188821.tif 000006